(57)【要約】【課題】紫外線ＬＥＤを用いたネイル用の紫外線硬化樹脂硬化装置において、爪を置く位置の制約を少なくすることを課題とする。【解決手段】ほぼ単一の照射方向を有する１以上の紫外線ＬＥＤからなるＬＥＤ照射体と、前記ＬＥＤ照射体に対向する位置に設けられる指を置く指置き台とを有するネイル用紫外線硬化樹脂硬化装置において、前記ＬＥＤ照射体を、前記指置き台に置かれる指とほぼ平行な回転軸回りを照射方向が回動するように駆動装置により遥動するようにする。【選択図】  図１
2011078638.tif 000002
【特許請求の範囲】
【請求項１】
ほぼ単一の照射方向を有する１以上の紫外線ＬＥＤからなるＬＥＤ照射体と、前記ＬＥＤ照射体に対向する位置に設けられる指を置く指置き台とを有するネイル用紫外線硬化樹脂硬化装置であって、
前記ＬＥＤ照射体は、前記指置き台に置かれる指とほぼ平行な回転軸回りを照射方向が回動するように駆動装置によって遥動することを特徴とするネイル用紫外線硬化樹脂硬化装置。
【請求項２】
前記ＬＥＤ照射体は、前記指置き台にほぼ平行かつ前記回転軸同士が互いに平行に並んで２以上設けられる
請求項１に記載のネイル用紫外線硬化樹脂硬化装置。
【請求項３】
前記ＬＥＤ照射体は紫外線ＬＥＤを前記回転軸長手方向に直交する方向に２以上設けたものである請求項１又は２に記載のネイル用紫外線硬化樹脂硬化装置。
【請求項４】
前記ＬＥＤ照射体は紫外線ＬＥＤを前記回転軸長手方向に２以上設けたものである請求項１から３のいずれか１項に記載のネイル用紫外線硬化樹脂硬化装置。
【発明の詳細な説明】
【技術分野】
【０００１】
本発明は爪に塗布した紫外線硬化樹脂からなるジェルネイルやトップコートを硬化させるための装置に関する。
【背景技術】
【０００２】
近年ネイルアートにおいては、ジェルネイルなどの紫外線硬化樹脂を用いるものが広く利用されている。このような紫外線硬化樹脂を硬化させるためには、爪に対して紫外線を照射する装置が必要となる。このような装置は、多くは水銀ランプや蛍光ランプが用いられるが、これらのランプは人体に有害な波長の紫外線を多く含み、また、寿命が数千時間と短く頻繁な交換を要するといった問題がある。これに対して、下記特許文献に示すように紫外線ＬＥＤを用いるものはこのような問題がなく、硬化時間も短縮することができるという利点を有する。
【先行技術文献】
【特許文献】
【０００３】
【特許文献１】登録実用新案第３１４０１０９号
【発明の概要】
【発明が解決しようとする課題】
【０００４】
ところで従来のＬＥＤを用いた装置では、光量が少なく点光源であるＬＥＤを用いて曲面からなる爪に効率よく、安定して紫外線を照射するために、図６（ａ）に示すようにＬＥＤ１００を爪の真上に加えて左右の斜め方向からも紫外線を照射するようにしたり、図６（ｂ）に示すように爪の横に反射板２００を配置し、反射光により爪の横側を照射したりするようにしていた。
しかし、上記のような構成の場合、爪を置く位置は固定されることとなり、また、爪と爪の間隔を大きく離す必要が生じる。このため、使用者は使用に制約が生じ使いづらいという問題があった。
本発明は、このような問題に鑑みて、紫外線ＬＥＤを用いたネイル用の紫外線硬化樹脂硬化装置において、爪を置く位置の制約を少なくすることを課題とする。
【課題を解決するための手段】
【０００５】
上記課題を解決するために、本発明は次のような構成を有する。
請求項１に記載の発明は、ほぼ単一の照射方向を有する１以上の紫外線ＬＥＤからなるＬＥＤ照射体と、前記ＬＥＤ照射体に対向する位置に設けられる指を置く指置き台とを有するネイル用紫外線硬化樹脂硬化装置であって、前記ＬＥＤ照射体は、前記指置き台に置かれる指とほぼ平行な回転軸回りを照射方向が回動するように駆動装置により遥動することを特徴とするものである。
請求項２に記載の発明は、前記ネイル用紫外線硬化樹脂硬化装置において、前記ＬＥＤ照射体は、前記指置き台にほぼ平行かつ前記回転軸同士が互いに平行に並んで２以上設けられるものである。
請求項３に記載の発明は、前記ネイル用紫外線硬化樹脂硬化装置において、前記ＬＥＤ照射体は紫外線ＬＥＤを前記回転軸長手方向に直交する方向に２以上設けたものである。
請求項４に記載の発明は、前記ネイル用紫外線硬化樹脂硬化装置において、前記ＬＥＤ照射体は紫外線ＬＥＤを前記回転軸長手方向に２以上設けたものである。
【発明の効果】
【０００６】
上記のような構成により本願発明は次のような効果を奏する。
請求項１に記載の発明は、ＬＥＤ照射体が回転軸回りに遥動して、照射方向を変えながら指置き台面を走査するように紫外線を照射するので、爪の位置が多少ずれても、紫外線の照射面が爪表面を移動し、かつ角度を変えながら爪の前面に適切に当たることとなるので、指を置く位置の制約を少なくすることができる。
請求項２に記載の発明は、ＬＥＤ照射体間に存する爪は、左右上方から紫外線が照射されるので、ＬＥＤの照射幅が狭い場合でも、曲面の両側に適切に紫外線を照射することができる。
請求項３に記載の発明は、ＬＥＤ照射体を構成する紫外線ＬＥＤが指の幅方向に並ぶことになるので、指の幅方向に関して紫外線が照射される範囲が広くなり、指の幅方向に関して指を置く位置の制約を少なくすることができる。また、一つのＬＥＤ照射体に照射幅が狭いＬＥＤが設けられている場合でも、十分に広い間隔をもって複数の紫外線ＬＥＤを設けた場合、爪の左右方向からの紫外線を適切に照射するができる。
請求項４に記載の発明は、ＬＥＤ照射体を構成する紫外線ＬＥＤが指の長手方向に並ぶことになるので、指の長手方向に関して紫外線が照射される範囲が広くなり、指の長手方向に関して指を置く位置の制約を少なくすることができる。
【図面の簡単な説明】
【０００７】
【図１】本実施形態に係るネイル用紫外線硬化樹脂硬化装置を示す正面図である。
【図２】図１のＡ−Ａ断面である。
【図３】（ａ）〜（ｄ）は本実施形態に係るネイル用紫外線硬化樹脂硬化装置の動作を示す正面図である。
【図４】（ａ）〜（ｃ）はＬＥＤを１列としたＬＥＤ照射装置の動作を示す図である。
【図５】（ａ）〜（ｃ）はＬＥＤを複数幅をもって配置したＬＥＤ照射装置の動作を示す図である。
【図６】（ａ）従来のネイル用紫外線硬化樹脂硬化装置の例を示す正面図であり、（ｂ）は従来のネイル用紫外線硬化樹脂硬化装置の他の例を示す正面図である。
【発明を実施するための形態】
【０００８】
以下、本発明の実施の形態について、図面を参照しながら説明する。
図１に本実施形態に係るネイル用紫外線硬化樹脂硬化装置Ｘの正面図を示し、図２に図１のＡ−Ａ断面図を示す。なお、ネイル用紫外線硬化樹脂硬化装置Ｘは外装となる筐体は省略してある。紫外線硬化樹脂硬化装置Ｘは、フレーム１０、ＬＥＤ照射体２０、指置き台３０、リンク機構部４０とから構成される。
【０００９】
フレーム１０は、板体を組み合わせて形成されるものであり、正面視門型をした開口部フレーム１１と、駆動装置を保持する側部フレーム１２とから構成される。
ＬＥＤ照射体２０は、短冊状の基板に１４個の紫外線ＬＥＤ２１を同じ方向を向けて、７個ずつ２列に配列固定したものである。ＬＥＤ照射体２０は、６つ平行に並んで設けられ、それぞれ後述するリンク機構の垂下アーム４１に下方側を照射するように基板を水平にして固定される。
指置き台３０は、長方形の板体であり、ＬＥＤ照射体２０の照射方向に面するように開口部フレーム１１の下面に配置される。
【００１０】
リンク機構部４０は、垂下アーム４１、水平アーム４２、駆動アーム４３、ウォームホイール４４、ウォームギア４５、駆動モーター４６、引張バネ４７とから構成される。垂下アーム４１は、図２に示すように、断面コの字状に曲げられた細長い板体からなり、両端部が上方を向き、中間の板部分が下方に位置するように、開口部フレーム１１の上縁部に下方から約３分の１の部分を回転軸４１ａで回動自在に固定される。垂下アーム４１は、６つ設けられ、互いに水平方向に等間隔に並んで配置される。水平アーム４２は、図２に示すように長方形状の板体の両長辺側を上方に曲げて断面コの字状としたものであり、各垂下アーム４１の上端側と回動可能に連結される。駆動アーム４３は、水平アーム４２の端部に一端側が回動可能に連結される細長い板体により構成される。ウォームホイール４４は、ウォームギア４５と係合するものであって、回転軸を側部フレーム１２に片持ちで固定されている。そして、側面において駆動アーム４３の他端側が回動可能に固定される。ウォームギア４５は、駆動モーター４６により回動するように固定されるととともに、ウォームホイール４４に係合するように配置される。駆動モーター４６は、ウォームギア４５の位置が適当な位置となるように、側部フレーム１２に固定される。引張バネ４７は、一端側が水平アーム４２の、駆動アーム４２が固定されていない側の端部に固定され、他端側が開口部フレーム１１に固定される引張バネである。駆動アーム４３のウォームホイール４４への連結部分はウォームホイール４４の回転に従って回転することとなるが、この連結部分が最上点および最下点に位置する状態で、駆動アーム４３に連結される水平アーム４２の位置が、垂下アーム４１を垂直とするような位置に設定される。また、６つの垂下アーム４１は、全体の幅が指を軽く開いた幅よりも十分に広くなるように設けられている。
【００１１】
次に、以上のような構成を有するネイル用紫外線硬化樹脂硬化装置Ｘの使用方法及び動作について図３を用いて説明する。使用者は開口部フレーム１１の開口から回転軸４１ａにほぼ平行となるように指Ｆを差し入れて、爪がＬＥＤ照射体２０の下に位置するように指Ｆを指置き台３０上に置く。この状態で、ＬＥＤ照射体２０のＬＥＤを発光させ、駆動モーター４６を回転させる。まず、リンク機構部４０の最初の状態が図３（ａ）に示すように、駆動アーム４３とウォームホイール４４との連結部が最上点にあり、垂下アーム４１が真下を向いているものとする。この状態では垂下アーム４１に固定されているＬＥＤ照射体２０は真下を向き、図に示すように爪の曲面の真上向かって紫外線が照射される。この状態から駆動モーター４６によりウォームホイールが時計回りに回転すると、駆動アーム４３は水平アーム４２を押すように動き、これにより、水平アーム４２はウォームホイール４４から離れる方向に移動する。これにより、各垂下アーム４１の上部側も水平アーム４２に従って動いて回転軸４１ａを中心に回動し、図３（ｂ）のように、固定されているＬＥＤ照射体２０が図における爪の曲面の右上から紫外線を照射するように各垂下アーム４１が傾く。さらに、ウォームホイール４４が回転すると、駆動アーム４３は水平アーム４２を引くように動き、図３（ｃ）に示すように駆動アーム４３とウォームホイール４４との連結部が最下点となり、各垂下アーム４１は真下を向く位置に戻る。さらに、ウォームホイール４４が回転すると、やはり駆動アーム４３は水平アーム４２を引くように動き、これにより、水平アーム４２はウォームホイール４４に近づく方向に移動する。これにより、各垂下アーム４１の上部側も水平アーム４２に従って動いて回転軸４１ａを中心に回動し、図３（ｄ）のように、固定されているＬＥＤ照射体２０が図における爪の曲面の左上から紫外線を照射するように各垂下アーム４１が傾く。さらに、ウォームホイール４４が回転すると、駆動アーム４３は水平アーム４２を押すように動き再び図３（ａ）の状態に戻る。
【００１２】
以上のような動作により、ＬＥＤ照射体２０は真下方向を中心に左右対称に照射方向を変えながら回転軸４１ａを中心として遥動する。これにより、６つのＬＥＤ照射体２０は指置き台３０に対して照射方向を滑らかに変化させながら紫外線を照射することになるので、指置き台３０上の正面視左右方向の一定範囲に入っている爪は、曲面上の任意の面に対して真っ直ぐに紫外線が照射されることとなる。また、ＬＥＤ照射体２０は、正面視前後方向に関して複数の紫外線ＬＥＤ２１が配置されているので、前後方向に関しても一定の範囲に入っていれば爪に紫外線が照射されることになる。即ち、爪を置く範囲が一定範囲に入っていれば足りるので、爪を置く位置の制約を少なくすることができる。
【００１３】
なお、ＬＥＤ照射部２０の数や、ＬＥＤ照射部２０に設けられるＬＥＤの数や配置は適用する爪の数、想定される利用者の手の大きさなどに応じて、適宜変更することができる。また、ＬＥＤ照射部２０に設けるＬＥＤの照射角が小さいものを用いる場合は、ＬＥＤ照射部２０は２以上設けるか、又は、ＬＥＤ照射部２０の回転軸に直交する方向に配置されるＬＥＤを２以上幅を持って設けることが望ましい。前者の場合、図４（ａ）〜（ｃ）のＬＥＤを一列とした場合のＬＥＤ照射部２０Ａの動作図に示すように、ＬＥＤ照射部２０Ａを複数設けることで、ＬＥＤ照射部２０Ａの間に爪が位置するようにすれば、ＬＥＤからの照射角が狭くても左右両方向からＬＥＤを照射することで爪の曲面の両側方へ照射できる。後者の場合、図５（ａ）〜（ｃ）のＬＥＤを複数幅をもって配置したＬＥＤ照射部２０Ｂの動作図に示すように、爪がＬＥＤ照射部２０Ｂの真下に位置していても、ＬＥＤ照射部２０Ｂが傾くことで、両端側に存するＬＥＤ２１a2、２１a2により爪の曲面の両側方側から紫外線を照射することができる。
さらに、ＬＥＤ照射部２０を遥動させる機構に関して、上記のリンク機構部は一例であり、種々の変更が可能である。
【符号の説明】
【００１４】
Ｘ
１０  フレーム
１１  開口部フレーム
１２  側部フレーム
２０  ＬＥＤ照射部
２１  ＬＥＤ
３０  指置き台
４０  リンク機構部
４１ａ  回転軸
４４  駆動モーター
【図１】
2011078638.tif 000003
【図２】
2011078638.tif 000004
【図３】
2011078638.tif 000005
【図４】
2011078638.tif 000006
【図５】
2011078638.tif 000007
【図６】
2011078638.tif 000008